(57)【要約】【課題】  衛星無線回線及び地上無線回線の２回線以上の回線を具備した無線通信システムにおいて、一斉指令の全子局の受令終了を待たずに異常を判定した時点で再送することによって、回線異常等の障害で受令できなかった子局が受令を完了するまでの時間を短縮することが可能となる手段を提供することを目的とする。【解決手段】統制局と、複数の子局から構成され、該統制局と子局間は衛星回線と地上回線の２回線以上の回線で接続された無線通信システムであって、前記統制局は、前記衛星回線若しくは地上回線の何れか一方を用いて前記複数の子局に対して一斉通報を行う一斉通報手段と、該一斉通報の内容を記憶する記憶手段と、前記複数の子局の各々の異常検出を行う異常検出手段とを備え、一斉通報を行った後に前記異常検出手段が、異常を検出した場合に再度一斉通報を行うことを特徴とする無線通信システム。【選択図】図１
2006253748.tif 000002
【特許請求の範囲】
【請求項１】
統制局と、複数の子局から構成され、
該統制局と子局間は衛星回線と地上回線の２回線以上の回線で接続された無線通信システムであって、
前記統制局は、前記衛星回線若しくは地上回線の何れか一方を用いて前記複数の子局に対して一斉通報を行う一斉通報手段と、
該一斉通報の内容を記憶する記憶手段と、
前記複数の子局の各々の異常検出を行う異常検出手段とを備え、
一斉通報を行った後に前記異常検出手段が、異常を検出した場合に再度一斉通報を行うことを特徴とする無線通信システム。
【請求項２】
前記再度一斉通報を行う場合、
前回一斉通報を行った衛星回線若しくは地上回線の何れかの他方、または両方を用いて当該再度の一斉通報を行うことを特徴とする前記請求項１に記載の無線通信システム。
【請求項３】
統制局と、複数の子局から構成され、
該統制局と子局間は衛星回線と地上回線の２回線以上の回線で接続された無線通信システムの無線通信方法であって、
前記統制局が前記衛星回線若しくは地上回線の何れか一方を用いて前記複数の子局に対して一斉通報を行う通報ステップと、
該一斉通報の内容を記憶する記憶ステップと、
前記複数の子局の各々の異常検出を行う異常検出ステップと、
前記通報ステップの後に、前記異常検出ステップにより異常を検出した場合に再度一斉通報を行う再通報ステップを備えたことを特徴とする無線通信方法。
【請求項４】
前記再通報ステップを行う場合、
前記通報ステップを行った衛星回線若しくは地上回線の何れかの他方、または両方を用いて当該再通報ステップを行うことを特徴とする前記請求項３に記載の無線通信方法。
【発明の詳細な説明】
【技術分野】
【０００１】
本発明は、衛星無線回線及び地上無線回線等の２回線以上の回線を具備した無線通信システムに関するものであって、特に、親局と複数の子局が接続された無線通信システムに関するものである。
【背景技術】
【０００２】
従来の技術について図を用いて説明する。
図２は従来の衛星無線回線及び地上無線回線の２回線以上の回線を具備した無線通信システムの一例を示す図である。
図２において、２０１は統制局、２０２は一斉指令台、２０３は一斉指令制御装置、２０４は衛星回線制御装置、２０５は地上回線制御装置、２０６は衛星回線、２０７は地上回線、２０８は子局、２０９は衛星回線制御部、２１０は地上回線制御部、２１１は主制御部、２１２は受令用電話機、２１３は受令用ＦＡＸ、２１４は通信衛星を示す。
【０００３】
通常、統制局２０１の一斉指令台２０２などで一斉指令を発令する場合は、一斉指令を発令する回線に、衛星回線２０６および地上回線２０７の両回線を指定する。
一斉指令台２０２が接続された一斉指令制御装置２０３では、衛星回線制御装置２０４と、地上回線制御装置２０５の両方に対して、同時若しくは任意の時間差を持たせて一斉指令の起動信号を送出する。
一斉指令を受信する子局２０８では、先に前記一斉指令の起動信号を受信した回線の方の回線制御部２０９または２１０が、主制御部２１１に一斉指令の着信を通知し、主制御部２１１では、その通知により受令用電話機２１２、または受令用ＦＡＸ２１３にその通話路を接続する。
応答確認信号や、受令確認信号は一斉指令起動信号を先に受信した衛星回線２０６または地上回線２０７のどちらかで送出するか、若しくは起動信号を受信した両回線で送出する。
【０００４】
従来の衛星無線回線及び地上無線回線の２回線以上の回線を具備した無線通信システムの技術として、例えば特許文献１が挙げられる。
【０００５】
【特許文献１】特開平１０−２７１０６３号公報
【発明の開示】
【発明が解決しようとする課題】
【０００６】
上記従来技術では、回線異常等なんらかの障害によって受令できなかった局への再送は、一斉指令が終了後、別の回線で同一内容の一斉指令を発令していた。
【０００７】
しかし、前記従来技術では、一斉指令が終了してから再送処理を行うため、最初の一斉指令が回線異常等で受信できなかった子局は受令が完了するまでに、他の正常に受令が行われた局に比べて２倍以上の時間を要するという問題点が存在する。
【０００８】
本発明は上記問題点に鑑み、衛星無線回線及び地上無線回線の２回線以上の回線を具備した無線通信システムにおいて、一斉指令の全子局の受令終了を待たずに異常を判定した時点で再送することによって、回線異常等の障害で受令できなかった子局が受令を完了するまでの時間を短縮する手段を提供することを目的とする。
【課題を解決するための手段】
【０００９】
上記問題点を解決するため請求項１に記載の発明は、統制局と、複数の子局から構成され、該統制局と子局間は衛星回線と地上回線の２回線以上の回線で接続された無線通信システムであって、前記統制局は、前記衛星回線若しくは地上回線の何れか一方を用いて前記複数の子局に対して一斉通報を行う一斉通報手段と、該一斉通報の内容を記憶する記憶手段と、前記複数の子局の各々の異常検出を行う異常検出手段とを備え、一斉通報を行った後に前記異常検出手段が、異常を検出した場合に再度一斉通報を行うことを特徴とする。
【００１０】
上記問題点を解決するため請求項２に記載の発明は、前記請求項１に記載の無線通信システムであって、前記再度一斉通報を行う場合、前回一斉通報を行った衛星回線若しくは地上回線の何れかの他方、または両方を用いて当該再度の一斉通報を行うことを特徴とする。
【００１１】
上記問題点を解決するため請求項３に記載の発明は、統制局と、複数の子局から構成され、該統制局と子局間は衛星回線と地上回線の２回線以上の回線で接続された無線通信システムの無線通信方法であって、前記統制局が前記衛星回線若しくは地上回線の何れか一方を用いて前記複数の子局に対して一斉通報を行う通報ステップと、該一斉通報の内容を記憶する記憶ステップと、前記複数の子局の各々の異常検出を行う異常検出ステップと、前記通報ステップの後に、前記異常検出ステップにより異常を検出した場合に再度一斉通報を行う再通報ステップを備えたことを特徴とする。
【００１２】
上記問題点を解決するため請求項４に記載の発明は、前記請求項３に記載の無線通信方法であって、前記再通報ステップを行う場合、前記通報ステップを行った衛星回線若しくは地上回線の何れかの他方、または両方を用いて当該再通報ステップを行うことを特徴とする。
【発明の効果】
【００１３】
本発明により、衛星無線回線及び地上無線回線の２回線以上の回線を具備した無線通信システムにおいて、一斉指令の全子局の受令終了を待たずに異常を判定した時点で再送することによって、回線異常等の障害で受令できなかった子局が受令を完了するまでの時間を短縮する手段を提供することができる。
【発明を実施するための最良の形態】
【００１４】
本発明の実施の形態について図面を参照しながら説明する。
図１は本発明における衛星無線回線及び地上無線回線の２回線以上の回線を具備した無線通信システムの一例である。
【００１５】
図１において、１０１は統制局、１０２は一斉指令台、１０３は一斉指令制御装置、１０４は衛星回線制御装置、１０５は地上回線制御装置、１０６は衛星回線、１０７は地上回線、１０８、１１６は子局、１０９は衛星回線制御部、１１０は地上回線制御部、１１１は主制御部、１１２は受令用電話機、１１３は受令用ＦＡＸ、１１４は通信衛星、１１５は記憶部を示す。
【００１６】
図３は本発明の動作の一例を示すシーケンス図である。
また、図３において、３０１は衛星回線を使用した一斉指令起動信号、３０２は一斉指令、３０３は子局１０８が受令に失敗した受令データ、３０４は子局１１６が受令した受令データ、３０５は一斉指令内容データ、３０６は衛星回線異常検出信号、３０７は地上回線を使用した一斉指令起動信号、３０８は子局１０８が受令した受令データ、３０９は衛星回線を使用した一斉指令復旧信号、３１０は地上回線を使用した一斉指令復旧信号を示す。
【００１７】
統制局１０１において、一斉指令台１０２の操作者が、一斉指令３０２を発令する場合、まず一斉指令起動信号（衛星回線）３０１を子局１０８に対して発信する。
前記一斉指令起動信号３０１は、一斉指令制御装置１０３から衛星回線制御装置１０４を介して、衛星回線１０６を使用して子局１０８、１１６へ伝送される。
なお、各子局で行われる動作は同じものであるため、本明細書では子局１０８のみを取り上げて説明する。
【００１８】
子局１０８では、一斉指令起動信号（衛星回線）３０１を衛星回線制御部１０９を介して受令し、主制御部１１１へ伝送する。
その後、子局１０８より統制局１０１に対して起動信号の応答信号を送信し、統制局１０１では子局からの応答状況によって一斉指令台１０２より指令を発令する。
【００１９】
指令内容は一斉指令起動信号（衛星回線）３０１の時同様に、一斉指令制御装置１０３から、衛星回線制御装置１０４、さらに衛星回線１０６を介して子局１０８に伝送される。子局１０８では一斉指令を衛星回線制御部１０９を介して受令し、主制御部１１１を経由して受令用電話機１１２、または受令用ＦＡＸ１１３へ伝送する。
【００２０】
ここで、統制局１０１では一斉指令３０２を各回線制御部へ伝送すると同時に一斉指令制御装置１０３内に設置されている記憶部１１５に指令内容を蓄積させる。
【００２１】
一斉指令３０２を子局へ伝送している途中に衛星回線異常検出信号３０６を検出すると、統制局１０１の一斉指令制御装置１０３は、直ちに地上回線制御装置１０５を経由して受令できなかった子局に対して地上回線を使用した一斉指令起動信号（地上回線）３０７を伝送する。
【００２２】
例えば子局１０８が受令データ３０３を受令出来なかったとすると、前記一斉指令起動信号（地上回線）３０７は前記衛星回線１０６を使用した場合の一斉指令起動信号３０１と同様に、子局１０８の地上回線制御部１１０を介して主制御部１１１へ伝送され、子局からの応答状況で統制局１０１の一斉指令制御装置１０３はメモリに蓄積されている一斉指令内容データ３０５を地上回線制御装置１０５及び地上回線１０７を介して子局１０８へ伝送され、子局１０８では受け取った受令データ３０８を地上回線制御部１１０、主制御部１１１を介して一斉指令の受令用電話機１１２または受令用ＦＡＸ１１３へ伝送する。
【００２３】
その後、衛星回線を使用した最初の一斉指令が終了する、すなわち正常な状態である子局１１６が受令データ３０４を受令すると、統制局１０１の一斉指令制御装置１０３より一斉指令復旧信号（衛星回線）３０９を送出する。
また、異常が検出された場合に地上回線を使用して指令を送った場合の一斉指令が終了した場合にも、統制局１０１の一斉指令制御装置１０３から一斉指令復旧信号（地上回線）３１０を送出する。
【００２４】
なお、上述の実施例では衛星回線を始めに使用し一斉指令を行い、衛星回線に異常が検出された場合を例にして説明したが、地上回線を始めに使用して地上回線に異常が検出された場合にも適用することが可能であることは明らかである。
すなわち、統制局と複数の子局が、衛星無線回線及び地上回線等の２回線以上で接続され、統制局からいずれかの回線を使用して、一斉指令を発令し、回線異常等で受令出来ない子局があると判断した場合、当該一斉指令の終了を待つことなく、他の回線で異常局へ対してのみ同一内容の一斉指令を並行して再送することが可能となる。
【００２５】
また、上記実施例では衛星回線と地上回線の２回線を有する場合の無線通信システムを例にして説明したが、上記２回線のみでなく、バックアップ回線など２回線以上の回線を有する無線通信システムに適用することも可能である。
すなわち、従来２回線以上の回線を持つ無線通信システムにおいて、統制局より子局に対し、一斉指令を行うと、回線異常等の何らかの理由で受令出来なかった子局をリストアップする必要があった。しかし、この方法では全子局が受令を完了するまでに最初の一斉指令で受令できた子局に対して２倍の時間を要してしまう。
そこで本発明では２回線以上ある回線のうちの１回線を使用し、一斉指令を行い、受令できなかった子局を統制局で判断し、再送必要と判断されると直ぐに再度メモリより同内容の指令を読み出し、前記一斉指令を行った回線以外の回線で再送信号を送出することで全子局が受令完了するまでの時間を短縮することが可能となる。
【００２６】
また、本発明の実施の形態よると、統制局において一斉指令を発令中に発令内容をメモリ等の記憶装置に蓄積し、再送一斉指令のソースとして使用することを可能とすることによって、最初の一斉指令の終了を待つことなく再送一斉指令を発令することが可能となり、さらに最初の一斉指令を回線異常等で受信できなかった局が受令を完了するまでの時間を短縮することが可能となる。
【００２７】
また、本発明の実施によれば、特に県防災無線システム等の衛星回線と地上回線とを保持する２重系の防災行政無線システムに有効な無線通信システムとすることができる。
【図面の簡単な説明】
【００２８】
【図１】本発明における衛星無線回線及び地上無線回線の２回線以上の回線を具備した無線通信システムの一例を示す図。
【図２】従来の衛星無線回線及び地上無線回線の２回線以上の回線を具備した無線通信システムの一例を示す図。
【図３】本発明の動作の一例を示すシーケンス図。
【符号の説明】
【００２９】
１０１，２０１・・・統制局、１０２，２０２・・・一斉指令台、
１０３，２０３・・・一斉指令制御装置、１０４，２０４・・・衛星回線制御装置、
１０５，２０５・・・地上回線制御装置、１０６，２０６・・・衛星回線、
１０７，２０７・・・地上回線、１０８，１１６，２０８・・・子局、
１０９，２０９・・・衛星回線制御部、１１０，２１０・・・地上回線制御部、
１１１，２１１・・・主制御部、１１２，２１２・・・受令用電話機、
１１３，２１３・・・受令用ＦＡＸ、１１４，２１４・・・通信衛星、
１１５・・・記憶部、３０１・・・一斉指令起動信号（衛星回線）、
３０２・・・一斉指令、３０３・・・受令データ、
３０４・・・受令データ、３０５・・・一斉指令内容データ、
３０６・・・衛星回線異常検出信号、３０７・・・一斉指令起動信号（地上回線）、
３０８・・・受令データ、３０９・・・一斉指令復旧信号（衛星回線）、
３１０・・・一斉指令復旧信号（地上回線）。
【図１】
2006253748.tif 000003
【図２】
2006253748.tif 000004
【図３】
2006253748.tif 000005